(57)【要約】【課題】肉眼では認識できない「対象物」を露出させるために行った「構成要素を分割する」（線、ドット、網構造体等からなる略規則的な背景パターンに加工され、１本の線は、複数の部分的な線に分割され、べた塗りの丸は、リングに分割される）技術が、複写機の性能向上によって機能しないという事態が生じた。【解決手段】このような課題に対して、本発明では、文字、数字等の対象物を所定の間隔に配置された多数の構成要素により構成して印刷物を構成し、前記構成要素は所定の面積を有する通常の構成要素と、特殊形状の構成要素とにより構成され、前記特殊形状の構成要素は、構成要素をその中心から放射状に伸びる放射状の複数の白抜き部によって分割し、総面積は通常の構成要素の所定の面積とほぼ同じ面積を有するように構成することにより、比較的高性能を有する複写機等でもより確実な機密保護機能を実現できる印刷物を提供する。【選択図】図２
2005111964.tif 000002
【特許請求の範囲】
【請求項１】
文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記期特殊形状の構成要素は、構成要素をその中心から放射状に伸びる放射状の複数の白抜き部によって分割し、総面積は通常の構成要素の所定の面積とほぼ同じ面積を有するように構成された機密保護印刷物。
【請求項２】
文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状空白部の交点に空白補正部が設けられ、この空白補正部を加えた印刷部分の総面積は通常の構成要素の所定の面積とほぼ同じ面積を有するように構成した機密保護印刷物。
【請求項３】
放射状の白抜き部は奇数本が放射状に構成された請求項１または２記載の機密保護印刷物。
【請求項４】
放射状の白抜き部は印刷される用紙の端と平行にならないように配置した請求項１から請求項３までのいずれかに記載の機密保護印刷物。
【請求項５】
前記構成要素は１インチあたり１３３個配置可能な間隔に設けた請求項１から請求項４までのいずれかに記載の機密保護印刷物。
【請求項６】
所定の面積を有する通常の構成要素と、特殊形状の構成要素とにより構成された前記構成要素を用いて文字、数字等の対象物を背景として印刷し、この上にさらに印刷を加えた請求項１から請求項５までのいずれかに記載の機密保護印刷物。
【請求項７】
文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記期特殊形状の構成要素は、構成要素をその中心から放射状に伸びる放射状の複数の白抜き部によって分割し、総面積は通常の構成要素の所定の面積とほぼ同じ面積を有するように構成された機密保護印刷用データ構造。
【請求項８】
文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状空白部の交点に空白補正部が設けられ、この空白補正部を加えた印刷部分の総面積は通常の構成要素の所定の面積とほぼ同じ面積を有するように構成された機密保護印刷用データ構造。
【発明の詳細な説明】
【技術分野】
【０００１】本発明は、複写機等により複写した場合に複写物であることが判別可能な結果を生じる複写防止の機能を備えた機密保護印刷物及び印刷用データ構造に関する。
【背景技術】
【０００２】書類を偽造防止するため、この書類の本来の内容以外の印刷情報を有する背景を構成する細かいパターンを一緒に印刷する技術が従来より使われている。この背景は、例えば、線、ドットパターン、網構造体等の群から成っている。この場合、例えば、文字、数字等のような少なくとも１つの対象物が、その対象物が占めるべき場所にて背景パターンの構成要素を分割することにより、線、ドット、網構造体等からなる略規則的な背景パターンに加工され、１本の線は、複数の部分的な線に分割され、べた塗りの丸は、リングに分割される。「分割」という語は、例えば、１本の線のような連続的な印刷領域が、例えば少なくとも２つの部分領域となる、すなわち、１本の連続的な線に代えて、２本、３本又はより多くの部分的な線が使用されるような仕方にて分割されることを意味する。図５にその例を示す。パターン中に施された対象物は、例えば、線の幅が１５０μｍ以下、好ましくは、１００μｍ以下というような特徴的な寸法を有しているので、肉眼で認識することは実際上、不可能である。この印刷物を市販の複写機で複写したとき、背景パターンの構成要素が分割された箇所では、複写機の品質及び作動モードに対応して、対象物は背景パターンの他の部分よりも遥かに明るく見え、ある箇所では、部分的な線、部分的なドット等は全く複写されない。これを利用して、例えば、「対象物」として、背景パターン中に「複写物（Ｃｏｐｙ）」又は「偽造（Ｆｏｒｇｅｒｙ）」という語を表わすことができる。
【特許文献１】特表２０００−５１６８６６号公報
【発明の開示】
【発明が解決しようとする課題】
【０００３】近年、複写機の性能は著しく向上した。複写機の性能は、そこに使われている光電子変換装置例えばＣＣＤ（チャージカップルドデバイス）に依存するが、その性能向上は著しく、たとえば、市販されている複写機では１インチ当たり６００ドットあるいはそれ以上を解読できる性能を有するに至っている。このような複写機では、肉眼では認識できない「対象物」を露出させるために行った従来の「構成要素を分割する」（線、ドット、網構造体等からなる略規則的な背景パターンに加工され、１本の線は、複数の部分的な線に分割され、べた塗りの丸は、リングに分割される）技術が機能しないという事態が起こる。すなわち、分割によって期待した複写機の読み取りミスによる効果が出ない。従来では、上述のごとく、「分割された箇所で、複写機の品質及び作動モードに対応して、対象物は背景パターンの他の部分よりも遥かに明るく見え、ある箇所では、部分的な線、部分的なドット等は全く複写されない」ことを期待していたが、複写機の性能向上によって、それら分割されたものが分割されたまま複写されることとなる。
このような問題点は、特表２０００−５１６８６６号公報においても「その程度は、複写機の型式や、複写機で機密保護印刷物を走査するときの走査方向に対する背景パターンの向きによって大きく左右される」として、予期されている。
【課題を解決するための手段】
【０００４】本発明は、上記課題を解決するもので、特定の構成要素を機能が向上した複写機にて複写防止効果を最適化した構成を有するもので、具体的には以下の構成とする。
文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記特殊形状の構成要素は、構成要素をその中心から放射状に伸びる放射状の複数の白抜き部によって分割し、総面積は通常の構成要素の所定の面積とほぼ同じ面積を有するように構成された機密保護印刷物。
文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状白抜き部の交点に空白補正部が設けられ、この空白補正部を加えた印刷部分の総面積は通常の構成要素の所定の面積とほぼ同じ面積を有するように構成した機密保護印刷物。
さらに、好ましくは、放射状の白抜き部は奇数本が放射状に構成された上記に記載の機密保護印刷物。
さらに、好ましくは、放射状の白抜き部は印刷される用紙の端と平行にならないように配置した上記のいずれかに記載の機密保護印刷物。
さらに、好ましくは、前記構成要素は１インチあたり１３３個配置可能な間隔に設けた上記のいずれかに記載の機密保護印刷物。
さらに、好ましくは、所定の面積を有する通常の構成要素と、特殊形状の構成要素とにより構成された前記構成要素を用いて文字、数字等の対象物を背景として印刷し、この上にさらに印刷を加えた上記のいずれかに記載の機密保護印刷物。
また、文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記期特殊形状の構成要素は、構成要素をその中心から放射状に伸びる放射状の複数の白抜き部によって分割し、総面積は通常の構成要素の所定の面積とほぼ同じ面積を有するように構成された機密保護印刷用データ構造。
または、文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状空白部の交点に空白補正部が設けられ、この空白補正部を加えた印刷部分の総面積は通常の構成要素の所定の面積とほぼ同じ面積を有するように構成された機密保護印刷用データ構造。
【発明の効果】
【０００５】本発明によれば、前記構成要素は所定の面積を有する通常の構成要素と、特殊形状の構成要素とにより構成され、特に、前記特殊形状の構成要素は、構成要素をその中心から放射状に伸びる放射状の複数の白抜き部によって分割しているので、従来の単なる分割に比べて、複写機の走査線が、分割のための白抜き部と平行になりにくく、前記特殊形状の構成要素によって期待される部分は、他の部分よりも遥かに明るく見え、または全く複写されないことが、より確実に実現される。
【発明を実施するための最良の形態】
【０００６】本発明では、上記課題を解決するものとして、具体的には以下の構成を最良とする。文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記特殊形状の構成要素は、構成要素をその中心から放射状に伸びる放射状の複数の白抜き部によって分割し、総面積は通常の構成要素の所定の面積とほぼ同じ面積を有するように構成された機密保護印刷物。
文字、数字等の対象物を所定の間隔に配置された多数の構成要素により構成して印刷した機密保護印刷物であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状白抜き部の交点に空白補正部が設けられ、この空白補正部を加えた印刷部分の総面積は通常の構成要素の所定の面積とほぼ同じ面積を有するように構成した機密保護印刷物。
さらに、好ましくは、放射状の白抜き部が奇数本、特に好ましくは５本ないし７本で、これらが放射状に構成された上記に記載の機密保護印刷物。
さらに、好ましくは、放射状の白抜き部は印刷される用紙の端と平行にならないように配置した上記のいずれかに記載の機密保護印刷物。
さらに、好ましくは、前記構成要素は１インチあたり１３３個配置可能な間隔に設けた上記のいずれかに記載の機密保護印刷物。
さらに、好ましくは、所定の面積を有する通常の構成要素と、特殊形状の構成要素とにより構成された前記構成要素を用いて文字、数字等の対象物を背景として印刷し、この上にさらに印刷を加えた上記のいずれかに記載の機密保護印刷物。
また、文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記期特殊形状の構成要素は、構成要素をその中心から放射状に伸びる放射状の複数の白抜き部によって分割し、総面積は通常の構成要素の所定の面積とほぼ同じ面積を有するように構成された機密保護印刷用データ構造。
または、文字、数字等の対象物を所定の間隔に配置された多数の構成要素により構成した電子計算機による処理の用に供する機密保護印刷用データ構造であって、前記構成要素は所定の面積を有する通常の構成要素と、特殊形状の構成要素とにより構成され、前記特殊形状の構成要素は、構成要素をその中心から放射状に伸びる複数の白抜き部によって分割されるとともに、前記放射状空白部の交点に空白補正部が設けられ、この空白補正部を加えた印刷部分の総面積は通常の構成要素の所定の面積とほぼ同じ面積を有するように構成された機密保護印刷用データ構造。
【実施例】
【０００７】以下に、図面に基づき、本発明の実施例を詳細に説明する。添付図面において、図１は、本発明の一実施例における、所定の面積を有する通常の構成要素を示す図、図２は、本発明の一実施例における、所定の面積を有する特殊形状の構成要素を示す図、図３は本発明の一実施例における、通常の構成要素と、特殊形状の構成要素にて構成された機密保護印刷物を複写した結果を示し、「複写」という文字が複写した結果、現出していることを示す図である。図４は本発明の一実施例における、通常の構成要素と、特殊形状の構成要素にて構成された機密保護印刷物の拡大図、図５は従来の分割された構成要素による印刷物の例を示す図である。【０００８】図１及び図２において、１は機密保護印刷物を構成する構成要素であって、所定の面積を有する通常の構成要素である。２は機密保護印刷物を構成する構成要素であって、特殊形状の構成要素である。この特殊形状の構成要素２は、構成要素を中心から放射状に伸びる放射状の複数の白抜き部３によって分割している。この場合、放射状の白抜き部３は５本の放射線状に構成し、この特殊形状の構成要素２は５つに分割されている。この放射状白抜き部３の５本の放射線の交点４においては、空白補正部５が設けられている。この空白補正部５を加えた印刷部分の総面積（黒塗りの部分）は通常の構成要素１の所定の面積とほぼ同じ面積を有するように構成し、目視によって、特殊形状の構成要素２と通常の構成要１とを見分けにくくしている。また、空白補正部５は、放射状白抜き部３の交点４が目視によって白く目立つ場合に、これを肉眼で発見しづらくするために設けるものであり、印刷対象や形状、濃度の関係で、必要としない場合には、設ける必要はない。その場合にも、特殊形状の構成要素２と通常の構成要素１の所定の面積とは、ほぼ同じ面積を有するように構成し、すなわち反射濃度がほぼ同じとなるように構成し、両者が肉眼で発見しづらくする必要がある。
なお、構成要素１および２の形状は、円形のみならず、四角形や三角形、楕円等を適宜採用してよい。【０００９】前記放射状の白抜き部３は、５本を放射線状に構成しているが、対象とする複写機の性能を考慮し７本等にしても良く、奇数本とする。
この場合、分割を５あるいは７等の奇数とするのは、複写機が原稿を読み取る走査線の方向と空白部分３とが平行になって複写機によって、この空白部分が読み取られて、特殊形状の構成要素２が複写結果物に現れることを避けるための工夫である。【００１０】また、同じ理由により、放射状の白抜き部３は印刷対象原稿の上下、左右の辺に対して平行にならないよう（通常複写機においては原稿の上下、左右の辺に平行に読み取り走査が行われるので）原稿の上下、左右の辺に対して傾斜角を成すように構成している。
この場合、奇数個分割（特に５分割や７分割）がこれを行うのに適している。【００１１】一般に市販されている複写機では、原稿を読み取るための光電子変換装置例えばＣＣＤ（チャージカップルドデバイス）として１インチ当たり６００ドットを解読できる性能を有するので、このような複写機に対しては、１インチ当たり６００の数字に対して倍数になるような関係を有する間隔で特殊形状の構成要素２を配置すると、複写機が原稿を読み取る走査線と構成要素１、２とのパターンが一致して、複写機が特殊形状の構成要素２を読み取りやすくなるので、前記構成要素１および２は、１インチあたり１３３個配置するのが、好ましい。１インチ当たりの前記構成要素１および２の間隔は、印刷業者間で容易に手に入る印刷原版標準があるので、その一例として１３３個が１インチに配置できる間隔を、本実施例では、採用している。
ほかには、１インチ当たり１７５個の間隔を採用することも可能である。【００１２】さらに、好ましくは、同様の理由によって、放射状の白抜き部３の複写機の走査方向と直角の距離（Ａ）と、複写機の走査線の間隔とが共通倍数を有する関係になると、所定の位置で放射状の白抜き部３の端部と複写機の走査線が一致して白抜き部３が読み取られることが考えられるので、距離（Ａ）もこれを考慮した間隔にするのが望ましい。【００１３】本発明の機密保護のパターンは、直接印刷対象物を、前記構成要素１および２を組み合わせて作製してもよいが、さらに、好ましくは、所定の面積を有する通常の構成要素と、特殊形状の構成要素とにより構成された前記構成要素を用いて文字、数字等の対象物を背景として印刷して置き、これを印刷用紙として、この上にさらに印刷を加えるようにして機密保護印刷物を構成すると、用紙の上にさらに印刷をする場合の印刷原版は、特殊な構成要素２を備える必要がないので、より便利である。【００１４】図３は通常の構成要素と、特殊形状の構成要素にて構成された機密保護印刷物を背景とした印刷物を複写した結果を示しており、「複写」という文字表れている。機密保護印刷物中の特定の文字は、本実施例では「複写」という文字であるが、「偽造」などとしても良い。
【産業上の利用可能性】
【００１５】本発明の印刷物は、イメージセッターを使用してフィルムを形成し、次に、そのフィルムの情報を転写することにより行われる。また、印刷情報を電子計算機によって読み取り可能なデータ構造にして構成し、これを電子計算機にて処理し、出力をアルミ材等の印刷ロール又は板に対して行い、この原版をもとに印刷される。さらに、例えば、印刷情報を電子計算機によって読み取り可能なデータ構造にして構成し、これを電子計算機にて処理し、レーザ出力機を使用して機密保護印刷物に対するパターンを作製し印刷することができる。
また、本発明の機密保護印刷用のデータ構造は、対象を背景パターンにする（いわゆるコンピュータグラフィックスパターン）とすることによって、このパターンのデータ情報を記憶装置、例えばＣＤ−ＲＯＭや半導体チップに記憶させておけば、この背景と希望する印刷パターンとを既知の電子計算機における電子的合成技術で合成して、印刷することが可能で、大量に、かつ安価に機密保護印刷物が作成できる。
【図面の簡単な説明】
【００１６】
【図１】本発明の一実施例における、通常の構成要素を示す図、
【図２】本発明の一実施例における、特殊形状の構成要素を示す図、
【図３】本発明の一実施例における、通常の構成要素と、特殊形状の構成要素にて構成された機密保護印刷物を複写した結果を示した図、
【図４】本発明の一実施例における、通常の構成要素と、特殊形状の構成要素にて構成された機密保護印刷物の拡大図、
【図５】背景技術を説明する印刷物を示す図。
【符号の説明】
【００１７】１  通常の構成要素
２  特殊形状の構成要素
３  白抜き部
４  交点
５  空白補正部
【図１】
2005111964.tif 000003
【図２】
2005111964.tif 000004
【図３】
2005111964.tif 000005
【図４】
2005111964.tif 000006
【図５】
2005111964.tif 000007